(57)【要約】【課題】本発明は、組み立ての作業性がよく、製造コストが低い包装箱を提供する。【解決手段】本発明の包装箱は、対向する２つの側板と、前記２つの側板の下側に形成され、包装箱を折り曲げた場合に前記包装箱の底面の両端に位置する２つの緩衝体と、を含み、前記緩衝体は、頂面と、頂面と対向する底面と、折り曲げた後前記側板に接続される第一側面と、第一側面と対向する第二側面と、を含み、前記底面、前記第二側面、前記頂面及び前記第一側面が順に前記側板の下側に一体に形成され、前記頂面と前記第二側面との間には、一部分が緩衝体の内部へ曲がる裂け目が形成されている。【選択図】図１
2009161246.tif 000002
【特許請求の範囲】
【請求項１】
対向する２つの側板と、前記２つの側板の下側に形成され、且つ折り曲げた場合包装箱の底面の両端に位置する２つの緩衝体と、を含み、
前記緩衝体は、頂面と、頂面と対向する底面と、折り曲げた後前記側板に接続される第一側面と、第一側面と対向する第二側面、を含み、
前記底面、前記第二側面、前記頂面及び前記第一側面が順に前記側板の下側に一体に形成され、
前記頂面と前記第二側面との間には、一部分が緩衝体の内部へ曲がる裂け目が形成されていることを特徴とする包装箱。
【請求項２】
前記包装箱の材料として、段ボールを用いることを特徴とする請求項１に記載の包装箱。
【請求項３】
前記裂け目は、側壁と、下壁と、を含み、前記側壁及び下壁によって、前記緩衝体に“Ｌ”状の裂け目が形成されることを特徴とする請求項１に記載の包装箱。
【請求項４】
前記包装箱は、２つの底板をさらに含み、前記２つの底板の下には、更に下へ延長される２つの切り抜き部がそれぞれ形成され、前記切り抜き部の高さと、前記裂け目の下壁から前記緩衝体の底面までの高さが同じであり、前記緩衝体には、前記底面から裂け目の下壁まで開くスリットが形成されていることであることを特徴とする請求項３に記載の包装箱。
【請求項５】
前記スリットの幅は、前記２つの切り抜き部の厚さと同じであることを特徴とする請求項４に記載の包装箱。
【請求項６】
前記２つの側板は、第一側板を含み、前記第一側板の上側に形成され、前記包装箱を折り曲げた場合前記包装箱の頂面の両端に位置する２つの固定部に形成されることを特徴とする請求項１に記載の包装箱。
【請求項７】
前記包装箱が一体に成型されることを特徴とする請求項１に記載の包装箱。
【請求項８】
前記包装箱は、前側板を含み、前記第一側板の一端は、前記前側板と連接し、前記第一側板の他端に連接部を伸びて、前記連接部は、前記第一側板が、後側板と連接するとして用いることを特徴とする請求項１に記載の包装箱。
【請求項９】
前記包装箱は、後側板を含み、前記２つの側板は、第二側板も含み、前記後側板の一端は、前記第二側板と連接していて、前記後側板の他端に連接部を伸びて、前記連接部は、前記後側板が、第一側板と連接するために用いることを特徴とする請求項１に記載の包装箱。
【請求項１０】
前記連接部は、専用の釘で、前記第一側板が、後側板と連接するために用いることを特徴とする請求項８或いは請求項９に記載の包装箱。
【請求項１１】
前記連接部は、接着剤で、前記第一側板が、後側板と連接するために用いることを特徴とする請求項８或いは請求項９に記載の包装箱。
【発明の詳細な説明】
【技術分野】
【０００１】
本発明は、組み立ての作業性がよいと共に製造コストが低い包装箱に関する。
【背景技術】
【０００２】
電子機器及び電子部品を包装箱に入れて運搬する場合包装箱に発泡スチロール製緩衝体を入れて電子機器及び電子部品を保護する。例えば、包装箱内の周囲に発泡スチロール製緩衝体を配置し、前記電子機器及び電子部品を前記緩衝体の上に置く。
【０００３】
従来の技術においては、発泡スチロール製緩衝体と包装箱を別々に製造していたので、その緩衝体を包装箱の内側に固定する作業が必要となる。従って、包装作業が面倒になって作業能率が低下し、包装箱の製造コストが高くなる欠点がある。
【発明の開示】
【発明が解決しようとする課題】
【０００４】
本発明の目的は、前記課題を解決し、組み立ての作業性がよく、製造コストが低い包装箱を提供することである。
【課題を解決するための手段】
【０００５】
前記目的を達成するため、本発明の包装箱は、対向する２つの側板と、前記２つの側板の下側に形成されている、包装箱を折り曲げた場合に前記包装箱の底面の両端に位置する２つの緩衝体と、を含み、前記緩衝体は、頂面と、頂面と対向する底面と、折り曲げた後前記側板に接続される第一側面と、第一側面と対向する第二側面と、を含み、前記底面、前記第二側面、前記頂面及び前記第一側面が順に前記側板の下側に一体に形成され、前記頂面と前記第二側面との間には、一部分が緩衝体の内部へ曲がる裂け目を形成している。
【発明の効果】
【０００６】
従来技術と比べて、本発明に係る包装箱においては、緩衝体と包装箱本体が一体に成型されるため、組み立ての作業性がよく、また製造コストを低くする効果があり、収容物に対して保護、緩衝機能を発揮することができる。
【発明を実施するための最良の形態】
【０００７】
次に、本発明の包装箱を詳しく説明する。
【０００８】
図１〜図２は、本発明の実施形態の包装箱１０を示す図である。図２で、実線が裁断線であり、点線が折り曲げ線である。前記包装箱１０の材料として、環境を保護する材料、例えば、段ボールを用いることができる。該包装箱１０は、一体に成型された板状材料を折り曲げて形成するものである。
【０００９】
該包装箱１０は、第一側板１００と、第二側板２００と、前側板３００と、後側板４００と、頂板３２０と、底板３１０と、２つの緩衝体１１０と、２つの固定部１３０と、を含む。
【００１０】
前記第一側板１００と第二側板２００は、それぞれ前記前側板３００の両側へ延長して形成されている。前記２つの緩衝体１１０は、前記第一側板１００及び第二側板２００の下側にそれぞれ形成されている。前記包装箱１０を折り曲げた場合前記２つの緩衝体１１０がその包装箱１０の底面の両端に位置する。本実施形態において、前記２つの緩衝体１１０の構造が同じなので、前記第一側板１００の下側に形成される緩衝体１１０を例として、詳しく説明する。
【００１１】
前記緩衝体１１０は、頂面１１１と、頂面１１１と対向する底面１１２と、折り曲げた後前記第一側板１００に接続される第一側面１１３と、第一側面１１３と対向する第二側面１１４と、を含む。即ち、前記底面１１２、前記第二側面１１４、前記頂面１１１及び前記第一側面１１３は、順に前記第一側板１００の下側に一体に形成されている。前記頂面１１１と前記第二側面１１４との間には、一部分が緩衝体の内部へ曲がる裂け目１２０が形成されている。前記裂け目１２０は、側壁１２１と、下壁１２２と、を含む。即ち、前記側壁１２１及び下壁１２２によって、前記緩衝体１１０に“Ｌ”状の前記裂け目１２０が形成される。
【００１２】
前記前側板３００及び後側板４００は、前記第二側板２００の両側へ延長して形成されている。その前側板３００と後側板４００の下側には、下へ延長して形成される底板３１０がそれぞれ形成されている。前記２つの底板３１０の下には、更に下へ延長する２つの切り抜き部３１１がそれぞれ形成されている。前記切り抜き部３１１の高さと、前記裂け目１２０の下壁１２２から前記緩衝体１１０の底面１１２までの高さと、が同じである。
【００１３】
前記緩衝体１１０には、前記底面１１２から前記裂け目１２０の下壁１２２の端部まで開くスリット１１５が形成されている。前記スリット１１５の幅は、前記２つの切り抜き部３１１の厚さと同じである。
【００１４】
前記固定部１３０は、前記第一側板１００の上側に形成されている。前記包装箱１０を折り曲げた場合前記２つの固定部１３０が前記包装箱１０の頂面の両端に位置する。前記固定部１３０は、収容物を固定すると同時に、収容物を緩衝する機能を奏する。前記前側板３００と後側板４００の上端には、前記包装箱１０を折り曲げた場合前記固定部１３０の上に置かれる２つの頂板３２０がそれぞれ形成されている。前記前側板３００が形成されない前記第一側板１００の一端には、前記包装箱１０を折り曲げた場合前記後側板４００と接続する連接部１４０が形成されている。前記連接部１４０は、前記第一側板１００を前記後側板４００に連接させる作用を奏する。専用の釘、接着剤等の手段を介して前記連接部１４０を前記後側板４００に接着させることができる。本実施形態で接着剤の方式を用いる。
【００１５】
図３及び図４は、本発明の包装箱１０の緩衝体１１０の構造及び展開図である。図４で実線が裁断線であり、点線が折り曲げ線である。第一折り曲げ線１００１と、第二折り曲げ線１００２と、第三折り曲げ線１００３と、第四折り曲げ線１００４とに沿って、順に前記第一側面１１３と、前記頂面１１１と、第二側面１１４と、底面１１２と折り曲げると、前記第一側面１１３が前記第二側板２００の端末に接続され、緩衝体１１０が形成される。
【００１６】
前記側壁１２１と前記下壁１２２との間に形成される第五折り曲げ線１００５に沿って、その側壁１２１及び下壁１２２を折り曲げると、前記裂け目１２０が形成される。前記裂け目１２０は、収容物を固定するばかりでなく、収容物を緩衝する作用を奏する。第二側板２００と前側板３００（後側板４００）、前側板３００（後側板４００）と底板３１０、底板３１０と切り抜き部３１１を、順次に第六折り曲げ線１００６、第七折り曲げ線１００７、第八折り曲げ線１００８に沿って折り曲げる。次に、前記切り抜き部３１１を前記スリット１１５に挿入させて、２つの緩衝体１１０を固定すると同時に、前記裂け目１２０の強度を向上させる。上述した過程により、図４に示す緩衝体１１０が包装箱１０の内部に形成される。
【００１７】
図５は、本発明の折り曲げた包装箱１０の蓋部を開放した状態を示す斜視図である。図６は、包装箱１０の蓋部を閉鎖した状態を示す外観図である。
【００１８】
以上説明したように、本発明に係る包装箱に緩衝体及び固定部が形成されているので、収納される収容物を保護し、外部からの衝撃を緩衝することができる。且つ、緩衝体と包装箱本体が一体に成型されているので、組み立て時間が短く、組み立ての作業性がよく、製造コストが低い利点がある。 
【図面の簡単な説明】
【００１９】
【図１】本発明に係る包装箱の内部構造を示す図である。
【図２】図１に係る包装箱の展開図である。
【図３】図１に係る包装箱の緩衝体の構造を示す図である。
【図４】図３に係る緩衝体の展開図である。
【図５】図２に係る包装箱の蓋部を開放した状態を示す斜視図である。
【図６】図２に係る包装箱の蓋部を閉鎖した状態を示す外観図である。
【符号の説明】
【００２０】
１０  包装箱
１００  第一側板
１１０  緩衝体
１１１  頂面
１１２  底面
１１３  第一側面
１１４  第二側面
１１５  スリット
１２０  裂け目
１２１  側壁 
１２２  下壁
１３０  固定部
１４０  連接部
２００  第二側板
３００  前側板
３１０  底板
３１１  切り抜き部
３２０  頂板
４００  後側板
１００１  第一折り曲げ線
１００２  第二折り曲げ線
１００３  第三折り曲げ線
１００４  第四折り曲げ線
１００５  第五折り曲げ線
１００６  第六折り曲げ線
１００７  第七折り曲げ線
１００８  第八折り曲げ線 
【図１】
2009161246.tif 000003
【図２】
2009161246.tif 000004
【図３】
2009161246.tif 000005
【図４】
2009161246.tif 000006
【図５】
2009161246.tif 000007
【図６】
2009161246.tif 000008